(57)【要約】      （修正有）【課題】プラスチック一体成型により、低コストでセット手間もかからず、梱包や売り場陳列もし易い、ディスク包装・保存用ケ−スを提供する。【解決手段】側面９に指入カット２を抜いた、ディスクが入る大きさの多角筒器１中央に、ディスク穴を差し込み蓋もロックでき、ディスク差込棒３が立ち上がるとともに、同心でディスク記録面を若干浮かすように円台４も立ち上がっており、さらに多角筒器１と同多角形で、中央に円台４とロック受け８を同心で成した多角筒蓋７が、ジョイント蝶番６で多角筒器１とそれぞれ一天辺部で一体化され、ケ−スを閉じるとロック受け８がディスク差込棒３にはまって固定され、多角筒蓋７をロックできケ−スを閉じるようにしたプラスチック一体成型のケ−スであり、多角筒器１と多角筒蓋７は、両者を円形筒状にしたり、四角筒形にしてもよい。【選択図】図１
0003135655.tif 000002
【実用新案登録請求の範囲】
【請求項１】
側面９に指入カット２を抜いた、ディスクが入る大きさの多角筒器１中央に、ディスク穴を差し込み蓋もロックできる、ディスク差込棒３が立ち上がるとともに、同心でディスク記録面を若干浮かすように円台４も立ち上がっており、さらに多角筒器１と同多角形で、中央に円台４とロック受け８を同心で成した多角筒蓋７が、ジョイント蝶番６で多角筒器１とそれぞれ一天辺部で一体化され、ケ−スを閉じるとロック受け８が、ディスク差込棒３にまって固定され、多角筒蓋７をロックできケ−スを閉じるようにした、プラスチック一体成型のディスク包装・保存用コンパクト形プラスチックケ−ス。
【請求項２】
多角筒器１と多角筒蓋７を円形筒状にした、請求項１記載のディスク包装・保存用コンパクト形プラスチックケ−ス。
【請求項３】
多角筒器１と多角筒蓋７を四角筒形にした、請求項１−２いずれかに記載のディスク包装・保存用コンパクト形プラスチックケ−ス。
【考案の詳細な説明】
【技術分野】
【０００１】  本考案は、単枚〜多数枚入りのディスク包装・保存用ケ−スとして、ディスク穴を凸状部位に差し込んで固定収納する、プラスチックケ−スに関するものである。
【背景技術】
【０００２】  ディスクを包装・保存するプラスチックケ−スとして、ディスク単枚入りのプラケ−ス・スリムケ−スや、多数枚入りのスピンドルケ−スを主に用いていた。
【考案の開示】
【考案が解決しようとする課題】
【０００３】  プラケ−ス・スリムケ−スやスピンドルケ−スは、容器部と蓋部が分かれているため、２つのプラスチック成型が必要なので、製造コストが高くつく上、プラケ−ス・スリムケ−スにおいては、ケ−スの組立て手間もかかり、スピンドルケ−スにおいては、ケ−ス底が出っ張ているため、梱包や売り場陳列に隙間ができて整然と並ばない不利があった。そこで出っ張りを無くした形態のものを、プラスチックで一体成型できるようにして、上記の欠点を解決しようとするものである。
【課題を解決するための手段】
【０００４】  本考案は、側面９に指入カット２を抜いた、ディスクが入る大きさの多角筒器１中央に、ディスク穴を差し込み蓋もロックできる、ディスク差込棒３が立ち上がるとともに、同心でディスク記録面を若干浮かすように円台４も立ち上がっており、さらに多角筒器１と同多角形で、中央に円台４とロック受け８を同心で成した多角筒蓋７が、ジョイント蝶番６で多角筒器１とそれぞれ一天辺部で一体化され、ケ−スを閉じるとロック受け８が、ディスク差込棒３にはまって固定され、多角筒蓋７をロックできケ−スを閉じるようにしたプラスチック一体成型のケ−スであり、さらに多角筒器１と多角筒蓋７の両者を円形筒状にしたケ−スにしたり、四角筒形にしたケ−スにしてもよく、前記のようにして問題解決している。
【考案の効果】
【０００５】  上述のように本考案のケ−スは、ディスク穴をディスク差込棒３に差し込むだけで、傷が付かないように、ディスク記録面をケ−スから浮かして積み重ねて固定できる上、蓋をするだけでケ−スをロック閉じできるとともに、ディスクも押さえ込んで固定収納できる効果がある。またプラスチック一体成型でできるため、低コストでセット手間もかからず、さらに出っ張りの無い単純形なので、梱包・陳列もし易い効果がある。
【考案を実施するための最良の形態】
【０００６】  本考案のケ−スは、図１に示されるように、単枚〜多数枚の所望ディスク入り枚数に応じ、１０角形の多角筒器１と多角筒蓋７は、閉じ合わすと入り枚数ディスクがピッタリ収納できるサイズとし、その多角筒器１には、ディスクを取り出す際ディスクを指で挟んで持ったり、蓋を開ける指掛け溝にもなるように、側面９の対角位置に指入カット２が切り込まれている上、天内周に側面ガ−ド１０も立ち上がっており、さらに中央部には、先端をア−ル凸１２からア−ル凹１１のＳ形にし、その下をディスク入り枚数高としたディスク差込棒３が、ディスク穴をほぼピッタリ差し込める外径で立ち上がっているとともに、その外側に同心でディスク記録面を若干高浮かすように円台４も立ち上がっている。また多角筒器１の木口にピッタリ合う同多角形で、ケ−スを閉じるとア−ル凹１１に底が合う深さの多角筒蓋７が、真ん中ににＶカット折筋５を通した梯子状のジョイント蝶番６によって、多角筒器１とそれぞれ一天辺部で一体化されており、よってケ−スを閉じるに当り、Ｖカット折筋５で容易に多角筒蓋７が、多角筒器１にピッタリ折り合わさって、側面ガ−ド１０で互いの合わさりのズレや隙間を無くすことができ、そして多角筒蓋７中央に成した、ア−ル凹１１にピッタリはよる穴の全周に放射状カット１３を入れロック受け８によって、ディスク差込棒３のア−ル凸１２がつかえるが、プラスチックの弾性で放射状カット１３が押し開かれて通過できると、続くアール凹１１がロック受け８の穴にピッタリはまって、弾性も元に戻ってロックされ、多角筒器１から多角筒蓋７は容易に抜けることなく、しかもディスク印刷筆記面を円台４で若干浮かした上、ディスクを押さえ込んで固定収納してケ−スを閉じることができる。
【実施例】
【０００７】  上記の１０角形の多角筒器１と多角筒蓋７は、他の多角形にしてもよく、また両者は、図２に示すように円形筒状にして、Ｖカット折筋５に接辺を伸ばした上下又状のジョイント蝶番６で一体化してもよく、さらに図３に示すように四角筒形にして、指入カット２を側面９の正面真ん中に木口へ削り込むように入れ、ジョイント蝶番６を四角筒天一辺部全幅の間の自由な幅で一体化してもよい。【０００８】  そして各図において、ディスク差込棒３とロック受け８は、両者が噛み合ってロックできれば、ロック受け８を逆にパイプ状や凸状に立ち上げてディスク差込棒３にはめ込む等、どのような仕組みにしてもよく、また円台４はディスク差込棒３の根元から続く円台状に立ち上げてもよく、さらに本考案のケ−スをプラスチック一体成型するに当り、一般的に強度を増し変形を防ぐために、適当な補強梁を各図に加えた成形型にして、製造することもあることは衆知のことである。
【図面の簡単な説明】
【０００９】
【図１】本考案のディスク包装・保存用コンパクト形プラスチックケ−スの、一実施例を示す平面図である。
【図２】本考案のディスク包装・保存用コンパクト形プラスチックケ−スの、多角筒器１と多角筒蓋７を円形筒状にした実施例を示す平面図である。
【図３】本考案のディスク包装・保存用コンパクト形プラスチックケ−スの、多角筒器１と多角筒蓋７を四角筒形にした実施例を示す平面図である。
【図４】本考案のディスク包装・保存用コンパクト形プラスチックケ−スの、図１における正面図である。
【図５】本考案のディスク包装・保存用コンパクト形プラスチックケ−スの、図１におけるＡ−Ａ線上の断面図である。
【符号の説明】
【００１０】１    多角筒器
２    指入カット
３    ディスク差込棒
４    円台
５    Ｖカット折筋
６    ジョイント蝶番
７    多角筒蓋
８    ロック受け
９    側面
１０  側面ガ−ド
１１  ア−ル凹
１２  ア−ル凸
１３  放射状カット
【図１】
0003135655.tif 000003
【図２】
0003135655.tif 000004
【図３】
0003135655.tif 000005
【図４】
0003135655.tif 000006
【図５】
0003135655.tif 000007
【手続補正書】
【提出日】平成19年6月11日(2007.6.11)
【手続補正１】
【補正対象書類名】実用新案登録請求の範囲
【補正対象項目名】請求項１
【補正方法】変更
【補正の内容】
【請求項１】
側面９に指入カット２を抜いた、ディスクが入る大きさの多角筒器１中央に、ディスク穴を差し込み蓋もロックできる、ディスク差込棒３が立ち上がるとともに、同心でディスク記録面を若干浮かすように円台４も立ち上がっており、さらに多角筒器１と同多角形で、中央に円台４とロック受け８を同心で成した多角筒蓋７が、ジョイント蝶番６で多角筒器１とそれぞれ一天辺部で一体化され、ケースを閉じるとロック受け８が、ディスク差込棒３にはまって固定され、多角筒蓋７をロックできケースを閉じるようにした、プラスチック一体成型のディスク包装・保存用コンパクト形プラスチックケース。
【手続補正２】
【補正対象書類名】実用新案登録請求の範囲
【補正対象項目名】請求項３
【補正方法】変更
【補正の内容】
【請求項３】
多角筒器１と多角筒蓋７を四角筒形にした、請求項１記載のディスク包装・保存用コンパクト形プラスチックケース。